(57)【要約】【課題】  電源オフにする所定の条件が満たされたことを契機に外部機器への撮影画像の転送を行う場合において、撮影状態への遷移、或いは、シャットダウン状態への遷移に係る時間が延びることを抑制する。【解決手段】  撮像部と、当該撮像部による撮像で得た画像を記憶するための記憶部とを有する通信装置であって、外部機器と近距離無線通信を行うための通信部と、電源オフ処理を行うための予め設定された条件を満たしたことに応じて、記憶部に記憶された画像の外部機器への転送を行う制御部とを有する。ここで、制御部は、画像の転送処理を行っている場合、ユーザからの転送のキャンセルの指示があるか、撮像に係る指示があるかを判定する判定部と、判定部により転送のキャンセルの指示があったと判定した場合には外部機器との間の転送のキャンセルに係る後処理を行って通信部による通信を停止し、判定部により転送処理を行っているときに撮像に係る指示があったと判定した場合には後処理を行わずに通信部による通信を停止する通信制御部とを有する。【選択図】  図１
2020167595.tif 000002
【特許請求の範囲】
【請求項１】
撮像手段と、当該撮像手段による撮像で得た画像を記憶するための記憶手段とを有する通信装置であって、
外部機器と近距離無線通信を行うための通信手段と、
電源オフ処理を行うための予め設定された条件を満たしたことに応じて、前記記憶手段に記憶された画像の前記外部機器への転送を行う制御手段とを有し、
前記制御手段は、
画像の転送処理を行っている場合、ユーザからの転送のキャンセルの指示があるか、撮像に係る指示があるかを判定する判定手段と、
該判定手段により転送のキャンセルの指示があったと判定した場合には前記外部機器との間の転送のキャンセルに係る後処理を行って前記通信手段による通信を停止し、前記判定手段により転送処理を行っているときに撮像に係る指示があったと判定した場合には前記後処理を行わずに前記通信手段による通信を停止する通信制御手段と
を含むことを特徴とする通信装置。
【請求項２】
前記通信手段はＢｌｕｅｔｏｏｔｈ（商標）であることを特徴とする請求項１に記載の通信装置。
【請求項３】
前記電源オフ処理を行うための条件は、ユーザからの操作が無い状態が所定時間に達した場合とすることを特徴とする請求項１又は２に記載の通信装置。
【請求項４】
前記電源オフ処理を行うための条件は、ユーザによる電源オフする操作が行われた場合とすることを特徴とする請求項１又は２に記載の通信装置。
【請求項５】
ユーザが電源をオフする操作が行われた場合は、前記通信制御手段は、前記外部装置に対して、転送をキャンセルすることを通知し、当該通知に対する応答を待たずに、前記通信手段よる通信を停止することを特徴とする請求項４に記載の通信装置。
【請求項６】
前記後処理は、転送のキャンセルを行うことを前記外部機器への通知する処理を含むことを特徴とする請求項１乃至５のいずれか１項に記載の通信装置。
【請求項７】
前記後処理は、前記外部機器との通信の切断処理を含むことを特徴とする請求項１乃至５のいずれか１項に記載の通信装置。
【請求項８】
前記判定手段は、電池収納部の蓋を開く操作があるか更に判定し、
前記判定手段により前記蓋を開く操作があると判定した場合、前記通信制御手段は、前記後処理を行わずに前記通信手段による通信を停止する
ことを特徴とする請求項１乃至７のいずれか１項に記載の通信装置。
【請求項９】
前記記憶手段に記憶されている各画像の転送に係るステータスを管理する管理手段を有することを特徴とする請求項１乃至８のいずれか１項に記載の通信装置。
【請求項１０】
前記後処理は、転送のキャンセルにより転送が未完となった画像のステータスを、未転送を示す情報に更新する処理を含むことを特徴とする請求項９に記載の通信装置。
【請求項１１】
前記制御手段は、
電源オフ処理を行うための予め設定された条件を満たしたことに応じて、前記記憶手段に記憶され、未転送の画像を表すリストを前記外部機器へ転送し、
前記リストの転送した後、前記外部機器より前記リストに記載された画像の１つの取得要求を受けるたびに、当該要求された画像を前記外部機器へ転送すると共に、転送が完了した画像のステータスを、転送済みを示す情報に更新する
ことを特徴とする請求項９又は１０に記載の通信装置。
【請求項１２】
撮像手段と、当該撮像手段による撮像で得た画像を記憶するための記憶手段とを有する通信装置であって、
外部機器と無線通信を行うための通信手段と、
電源オフ処理を行うための予め設定された条件を満たしたことに応じて、前記記憶手段に記憶された画像の前記外部機器への転送を行う制御手段とを有し、
前記制御手段は、
画像の転送処理を行っている場合に、前記転送処理をキャンセルする要因となる事象が発生すると、前記事象の内容を判定する判定手段と、
前記判定手段によって判定された事象の内容に応じて、前記外部機器との間の転送のキャンセルに係る後処理を行って前記通信手段による通信を停止するか、前記後処理を行わずに前記通信手段による通信を停止するかを切り替えるよう、制御する通信制御手段と
を含むことを特徴とする通信装置。
【請求項１３】
前記後処理は、複数の処理から構成され、
前記制御手段により、前記外部機器との間の転送のキャンセルに係る後処理を行って前記通信手段による通信を停止する場合、前記後処理の一部の処理のみを行うことを特徴とする請求項１２に記載の通信装置。
【請求項１４】
撮像手段と、当該撮像手段による撮像で得た画像を記憶するための記憶手段と、外部機器と近距離無線通信を行うための通信手段とを有する通信装置の制御方法であって、
電源オフ処理を行うための予め設定された条件を満たしたことに応じて、前記記憶手段に記憶された画像の前記外部機器への転送を行う制御工程を有し、
当該制御工程は、
画像の転送処理を行っている場合、ユーザからの転送のキャンセルの指示があるか、撮像に係る指示があるかを判定する判定工程と、
該判定工程により転送のキャンセルの指示があったと判定した場合には前記外部機器との間の転送のキャンセルに係る後処理を行って前記通信手段による通信を停止し、前記判定工程により転送処理を行っているときに撮像に係る指示があったと判定した場合には前記後処理を行わずに前記通信手段による通信を停止する通信制御工程と
を含むことを特徴とする通信装置の制御方法。
【請求項１５】
撮像手段と、当該撮像手段による撮像で得た画像を記憶するための記憶手段と、外部機器と無線通信を行うための通信手段ととを有する通信装置の制御方法であって、
電源オフ処理を行うための予め設定された条件を満たしたことに応じて、前記記憶手段に記憶された画像の前記外部機器への転送を行う制御工程を有し、
前記制御工程は、
画像の転送処理を行っている場合に、前記転送処理をキャンセルする要因となる事象が発生すると、前記事象の内容を判定する判定工程と、
前記判定工程によって判定された事象の内容に応じて、前記外部機器との間の転送のキャンセルに係る後処理を行って前記通信手段による通信を停止するか、前記後処理を行わずに前記通信手段による通信を停止するかを切り替えるよう、制御する通信制御工程と
を含むことを特徴とする通信装置の制御方法。
【請求項１６】
コンピュータが読み込み実行することで、前記コンピュータに請求項１４又は１５に記載の方法の工程を実行させるためのプログラム。
【発明の詳細な説明】
【技術分野】
【０００１】
本発明は、通信装置及びその制御方法及びプログラムに関するものである。
【背景技術】
【０００２】
従来、デジタルカメラ（以降、カメラとする）などの電子機器は、スマートフォンをはじめとした外部機器と通信インタフェースを有する。また、複数種類の通信インタフェースを搭載する電子機器も存在する。具体的には、Ｗｉ−Ｆｉ（商標）やＢｌｕｅｔｏｏｔｈ（商標）などが挙げられる。
【０００３】
カメラと外部機器を低消費電力のＢｌｕｅｔｏｏｔｈ（商標）Ｌｏｗ  Ｅｎｅｒｇｙでペアリング接続させて、カメラのメイン部への電源オフ操作を契機に外部機器とＢｌｕｅｔｏｏｔｈ（商標）Ｃｌａｓｓｉｃによる接続に切り替えて、撮影画像を自動で転送する機能がある。これにより、例えばユーザは旅先などで写真撮影を行って、休憩や一日の終わりでホテルに戻ってカメラの電源をオフすると、それまでに撮影していた画像がスマートフォンへ自動で転送されるようになる。
【０００４】
転送が完了した後はＢｌｕｅｔｏｏｔｈ（商標）Ｃｌａｓｓｉｃでの接続を切断し、Ｂｌｕｅｔｏｏｔｈ（商標）Ｌｏｗ  Ｅｎｅｒｇｙに切り替えてカメラはシャットダウンする。更には、転送中にカメラの背面液晶などでキャンセル選択が可能で、ユーザがキャンセルを選択した場合に外部機器へキャンセル通知を行い、Ｂｌｕｅｔｏｏｔｈ（商標）Ｃｌａｓｓｉｃ接続を切断し、Ｂｌｕｅｔｏｏｔｈ（商標）Ｌｏｗ  Ｅｎｅｒｇｙに切り替える。その後、転送完了時と同様にカメラがシャットダウンする。
【０００５】
以上のようにカメラ電源オフ操作を契機に外部機器に撮影した画像の転送を終了させるときに外部機器へのキャンセル通知やＢｌｕｅｔｏｏｔｈ（商標）Ｃｌａｓｓｉｃ接続の切断といった後処理を行う。
【０００６】
しかし、転送中にカメラのレリーズスボタンが押下された時、ユーザは撮影をしたいので、速やかに撮影可能状態へ遷移させる必要がある。他には電池蓋を開けた場合は電池を抜かれる可能性があるので速やかにシャットダウン処理を行う必要がある。その一方、後処理を行った場合は外部機器へのキャンセル通知やＢｌｕｅｔｏｏｔｈ（商標）Ｃｌａｓｓｉｃの切断処理は外部機器からの応答が生じる。通信環境が悪いといった原因で外部機器からの応答が遅れる、もしくは受信出来ないと後処理に時間を要してしまい、撮影処理やシャットダウン処理へ速やかに移行出来ない可能性がある。
【先行技術文献】
【特許文献】
【０００７】
【特許文献１】特開２０１３−１６２３０２号公報
【特許文献２】特開２００３−９２６９４号公報
【発明の概要】
【発明が解決しようとする課題】
【０００８】
特許文献１は、ユーザがカメラのレリーズスボタンを押下した時に外部機器との通信を停止させるか否かユーザに通知して、ＯＫを選択するとカメラは通信を停止させることを開示している。また、特許文献２は、カメラのレリーズスボタン押下により外部機器との通信をすぐに停止させた後、どこまで転送したか記憶することを開示している。
【０００９】
特許文献１に開示された従来技術では、そもそも通信を停止させる時の後処理については触れていない。また特許文献２に開示された従来技術では、レリーズボタンが押下された以外の操作については記載されていない。例えば、電池蓋を開ける、もしくはカメラ電源スイッチをオフする、といった操作によりカメラがシャットダウンするケースが挙げられる。
【００１０】
本発明は上記問題に鑑み成されたものであり、電源オフにする所定の条件が満たされたことを契機に外部機器への撮影画像の転送を行う場合において、撮影状態への遷移、或いは、シャットダウン状態への遷移に係る時間が延びることを抑制する技術を提供しようとするものである。
【課題を解決するための手段】
【００１１】
この課題を解決するため、例えば本発明の通信装置は以下の構成を備える。すなわち、
撮像手段と、当該撮像手段による撮像で得た画像を記憶するための記憶手段とを有する通信装置であって、
外部機器と近距離無線通信を行うための通信手段と、
電源オフ処理を行うための予め設定された条件を満たしたことに応じて、前記記憶手段に記憶された画像の前記外部機器への転送を行う制御手段とを有し、
前記制御手段は、
画像の転送処理を行っている場合、ユーザからの転送のキャンセルの指示があるか、撮像に係る指示があるかを判定する判定手段と、
該判定手段により転送のキャンセルの指示があったと判定した場合には前記外部機器との間の転送のキャンセルに係る後処理を行って前記通信手段による通信を停止し、前記判定手段により転送処理を行っているときに撮像に係る指示があったと判定した場合には前記後処理を行わずに前記通信手段による通信を停止する通信制御手段とを含む。
【発明の効果】
【００１２】
本発明によれば、電源オフにする所定の条件が満たされたことを契機に外部機器への撮影画像の転送を行う場合において、撮影状態への遷移、或いは、シャットダウン状態への遷移に係る時間が延びることを抑制することができる。
【図面の簡単な説明】
【００１３】
【図１】（ａ）は実施形態におけるカメラのブロック構成図、（ｂ）、（ｃ）が外観斜視図。
【図２】カメラがスマートフォンと無線通信を行っているときの概略図。
【図３】第１、第２の実施形態における、カメラ１００がスマートフォン２００に対してＢｌｕｅｔｏｏｔｈ（商標）通信で撮影画像を転送する時に表示部１０６に表示される画面の遷移図である。（ａ）は転送準備中の画面、（ｂ）は転送実施中の画面、（ｃ）はキャンセルが選択された時の画面を表す。
【図４】第１の実施形態における、カメラ１００がスマートフォン２００に対してＢｌｕｅｔｏｏｔｈ（商標）通信で撮影画像を転送する時のシーケンスである。
【図５】第１の実施形態における、カメラ１００がスマートフォン２００に対してＢｌｕｅｔｏｏｔｈ（商標）通信で撮影画像を転送している最中に転送のキャンセル操作をした時のシーケンスである。
【図６】第１の実施形態における、カメラ１００がスマートフォン２００に対してＢｌｕｅｔｏｏｔｈ（商標）通信で撮影画像を転送している最中にカメラ１００のレリーズスボタンを押下した時のシーケンスである。
【図７】第１の実施形態における、カメラ１００がスマートフォン２００に対してＢｌｕｅｔｏｏｔｈ（商標）通信で撮影画像を転送する時のフローチャートである。
【図８】第２の実施形態における、カメラ１００がスマートフォン２００に対してＢｌｕｅｔｏｏｔｈ（商標）通信で撮影画像を転送している最中にカメラ１００の電源スイッチオフ操作した時のシーケンスである。
【発明を実施するための形態】
【００１４】
以下、添付図面を参照して実施形態を詳しく説明する。尚、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１５】
［第１の実施形態］
図１（ａ）が第１の実施形態における撮像装置としてのカメラ１００のブロック構成図である。なお、ここでは通信装置の一例としてカメラについて述べるが、通信装置はこれに限られない。例えば通信装置は携帯型のメディアプレーヤや、いわゆるタブレットデバイス、パーソナルコンピュータなどの機器であってもよい。
【００１６】
制御部１０１はＣＰＵで構成され、入力した信号や、後述の各処理部を制御する。特に、制御部１０１は、後述する複数の通信部を用いた、外部装置との通信制御部としても機能する。なお、制御部１０１が装置全体を制御する代わりに、複数のハードウェアが処理を分担することで、装置全体を制御してもよい。
【００１７】
撮像部１０２は、例えば、光学レンズユニットと絞り・ズーム・フォーカスなど制御する光学系と、光学レンズユニットを経て導入された光（映像）を電気的な映像信号に変換するための撮像素子、並びに撮像素子で得たアナログ電気信号をデジタル信号に変換するＡ／Ｄ変換器等で構成される。撮像素子としては、一般的には、ＣＭＯＳ（Complementary Metal Oxide Semiconductor）や、ＣＣＤ（Charge Coupled Device）が知られているが、いずれでも構わない。撮像部１０２は、制御部１０１に制御されることにより、撮像部１０２に含まれるレンズで結像された被写体光を、撮像素子により電気信号に変換し、ノイズ低減処理などを行い、デジタルの画像データとして出力する。本実施形態のカメラ１００は、撮像して得た画像データのＪＰＥＧ等に従って符号化し、その符号化データを画像ファイルとして、ＤＣＦ（Design Rule for Camera File system）の規格に従い、記録媒体１１０に記録する。
【００１８】
不揮発性メモリ１０３は、電気的に消去・記録可能な不揮発性のメモリであり、制御部１０１で実行される後述のプログラムや各種パラメータが格納されている。
【００１９】
作業用メモリ１０４は、撮像部１０２で撮像された画像データを一時的に保持するバッファメモリや、表示部１０６の画像表示用メモリ、制御部１０１の作業領域等として使用される。
【００２０】
操作部１０５は、カメラ１００に対するユーザからの指示を受け付け、制御部１０１に通知する。操作部１０５は、例えば、ユーザがカメラ１００の電源のＯＮ／オフを指示するための電源ボタンや、撮影を指示するためのレリーズスボタン、画像データの再生を指示するための再生ボタンを含む。また、操作部１０５は、更に後述の無線通信部１１１を介して外部機器との通信を開始するための専用の接続ボタンなどの操作部材を含む。また、操作部１０５は、後述する表示部１０６に形成されるタッチパネルも操作部１０５に含まれる。なお、レリーズスボタンは、２つのスイッチを有し、押下状態（解放、半押し、全押し）を制御部１０１に通知する。具体的には、レリーズスボタンは、いわゆる半押し状態となることにより第１スイッチ信号をＯＮにする。これにより、制御部１０１は、ＡＦ（オートフォーカス）処理、ＡＥ（自動露出）処理、ＡＷＢ（オートホワイトバランス）処理、ＥＦ（フラッシュプリ発光）処理等の撮影準備を行う。また、レリーズスボタンは、全押し状態となると、第２スイッチ信号をＯＮにする。これにより、制御部１０１は、撮影及び記録処理を行うことになる。
【００２１】
表示部１０６は、撮影の際のビューファインダー画像の表示、撮影した画像データの表示、対話的な操作のための文字表示（処理メニューの表示を含む）を行う。他にはランプなどによる点灯／点滅／消灯表示も行う。例えば、後述する記録媒体１１０へのアクセス状態、無線通信部１１１や近距離無線通信部１１２の通信状態等が挙げられる。なお、表示部１０６は必ずしもカメラ１００が内蔵する必要はない。カメラ１００は内部又は外部の表示部１０６と接続することができ、表示部１０６の表示を制御する表示制御機能を少なくとも有していればよい。
【００２２】
記録媒体１１０は、撮像部１０２から出力された画像データを記録することができる。記録媒体１１０は、ＳＤカードのように、カメラ１００に着脱可能なよう構成してもよいし、カメラ１００に内蔵されていてもよい。すなわち、カメラ１００は少なくとも記録媒体１１０にアクセスする手段を有していればよい。
【００２３】
無線通信部１１１は、外部装置と接続するためのインタフェースである。本実施形態のカメラ１００は、無線通信部１１１を介して、外部装置とデータのやりとりを行うことができる。例えば、撮像部１０２で生成した画像データを、無線通信部１１１を介して外部装置に送信することができる。なお、本実施形態では、無線通信部１１１は外部装置とＩＥＥＥ８０２．１１の規格に従った、いわゆるＷｉ−Ｆｉ（商標）で通信するためのインタフェースを含む。制御部１０１は、無線通信部１１１を制御することで外部装置との無線通信を実現する。なお、通信方式はＷｉ−Ｆｉ（商標）に限定されるものではなく、例えば赤外通信方式も含む。無線通信部１１１は第一の無線通信手段の一例である。
【００２４】
近距離無線通信部１１２は、例えば無線通信のためのアンテナと無線信号を処理するため変復調回路や通信コントローラから構成される。近距離無線通信部１１２は、変調した無線信号をアンテナから出力し、またアンテナで受信した無線信号を復調することによりＩＥＥＥ８０２．１５の規格（いわゆるＢｌｕｅｔｏｏｔｈ（商標））に従った近距離無線通信を実現する。本実施形態において近距離無線通信部１１２は第一の近距離無線部１１２ａと第二の近距離無線部１１２ｂを備えている。第一の近距離無線通信１１２ａは低消費電力であるＢｌｕｅｔｏｏｔｈ（商標）  Ｌｏｗ  Ｅｎｅｒｇｙで、第二の近距離無線通信部１１２ｂはＢｌｕｅｔｏｏｔｈ（商標）  Ｃｌａｓｓｉｃを採用する。Ｂｌｕｅｔｏｏｔｈ（商標）通信は、Ｗｉ−Ｆｉ（商標）通信と比べて通信可能な範囲が狭い（つまり、通信可能な距離が短い）。また、Ｂｌｕｅｔｏｏｔｈ（商標）通信は、Ｗｉ−Ｆｉ（商標）通信と比べて通信速度が遅い。その一方で、Ｂｌｕｅｔｏｏｔｈ（商標）通信は、Ｗｉ−Ｆｉ（商標）通信と比べて消費電力が少ない。Ｂｌｕｅｔｏｏｔｈ（商標）Ｌｏｗ  ＥｎｅｒｇｙとＢｌｕｅｔｏｏｔｈ（商標）Ｃｌａｓｓｉｃに関しては、消費電力はＢｌｕｅｔｏｏｔｈ（商標）Ｌｏｗ  Ｅｎｅｒｇｙの方が少ない。一方、通信速度はＢｌｕｅｔｏｏｔｈ（商標）Ｃｌａｓｓｉｃの方が、Ｂｌｕｅｔｏｏｔｈ（商標）Ｌｏｗ  Ｅｎｅｒｇｙよりも早い。本実施形態のカメラ１００は、近距離無線通信部１１２を介して、外部装置とＢｌｕｅｔｏｏｔｈ（商標）Ｌｏｗ  Ｅｎｅｒｇｙで常時接続しておく。そして、カメラ１００もしくは外部装置からの操作によりＢｌｕｅｔｏｏｔｈ（商標）Ｌｏｗ  ＥｎｅｒｇｙからＢｌｕｅｔｏｏｔｈ（商標）Ｃｌａｓｓｉｃへ自動で切り替えて、撮像部１０２による撮像画像を外部装置に対して転送する。
【００２５】
次に、カメラ１００の外観について説明する。図１（ｂ）はカメラ１００の前面斜視図（レンズ側）、図１（ｃ）はカメラ１００の背面斜視図である。図示では、レリーズスボタン１０５ａや再生ボタン１０５ｂ、方向キー１０５ｃ、タッチパネル１０５ｄ、電源レバー１０５ｅは、操作部１０５に含まれる操作部材である。また、表示部１０６には、撮像部１０２による撮像の結果得られた画像や各種メニュー等が表示されることになる。以上が実施形態におけるカメラ１００の構成と基本的な動作の説明である。
【００２６】
図２は、カメラ１００が、外部機器の一例であるスマートフォン２００と通信状態にある例を示している。カメラ１００の第一近距離無線通信部１１２ａ、第二近距離無線通信部１１２ｂでスマートフォン２００と通信を行う場合の概略図でもある。
【００２７】
ここでの第一近距離無線通信部１１２ａが行う第一近距離無線通信はＢｌｕｅｔｏｏｔｈ（商標）Ｌｏｗ  Ｅｎｅｒｇｙ、第二近距離無線通信部１１２ｂが行う第二近距離無線通信はＢｌｕｅｔｏｏｔｈ（商標）Ｃｌａｓｓｉｃに対応することは既に説明した。
【００２８】
スマートフォン２００は、カメラ１００と同様、Ｗｉ−Ｆｉ（商標）やＢｌｕｅｔｏｏｔｈ（商標）の通信を行う通信部を有している。また、スマートフォン２００は、携帯電話でもあるので公衆無線通信部を併せ持つ。そして、スマートフォン２００はオペレーディングシステム（Ｏｐｅｒａｔｉｎｇ  Ｓｙｓｔｅｍ：ＯＳ）を搭載しており、スマートフォン２００のＣＰＵはこのＯＳの下で、インストールされたアプリケーションを実行することになる。本実施形態でのアプリケーションは、Ｂｌｕｅｔｏｏｔｈ（商標）を通じてカメラ１００の撮影や撮影画像の閲覧／保存といったリモート制御を行うカメラ制御アプリケーションを想定している。
【００２９】
上記構成において、制御部１０１は、撮像部１０２を始め各種処理部の駆動／非駆動、または、電力供給／遮断を行えるものとする。
【００３０】
図３は本実施形態における、カメラ１００がスマートフォン２００に対してＢｌｕｅｔｏｏｔｈ（商標）通信で撮影画像を転送する時に表示部１０６に表示される画面の遷移図である。本実施形態では、カメラ１００で撮影した画像をスマートフォン２００へ転送するのは、操作部１０５によりカメラ１００の電源オフ操作がされたことを契機に実施される。
【００３１】
図３の（ａ）は、転送準備中の画面を表す。この画面は、電源オフ操作を行ってからＢｌｕｅｔｏｏｔｈ（商標）Ｃｌａｓｓｉｃでスマートフォン２００に対して転送画像送信開始するまでの間に表示される。転送が開始されると、図３の（ｂ）の転送実施中の画面に遷移する。ここではプログレスバーや転送枚数を表示することで進捗状況が分かるようにしている。転送が完了すると、画面は消灯する。図３の（ａ）、（ｂ）ではいずれも「キャンセル」が選択可能で、ユーザが「キャンセル」を選択すると、同図の（ｃ）のキャンセル画面に遷移する。ここで「はい」を選択すると画面は消灯する。「いいえ」を選択した場合、転送準備中であれば図３の（ａ）、転送実施中であれば図３の（ｂ）の画面へ遷移する。
【００３２】
以下、実施形態における画像ファイルの転送について詳述する前に、記録媒体１１０には転送管理情報が予め確保されているものとする。この転送管理情報には、記録媒体１１０に格納される画像ファイル毎の外部装置への転送状況を「転送ステータス」が保持される。カメラ１００が撮像を行って記録媒体１１０に画像ファイルを新規に記録した場合、制御部１０１は、その画像ファイルのファイル名と関連付けて「未転送」を表す転送ステータスを、転送管理情報に登録するものとする。転送管理情報は、本装置の電源オフ時にも保持されればよいので、記録媒体１１０ではなく、不揮発性メモリ１０３に格納されるようにしてもよい。
【００３３】
図４は本実施形態における、カメラ１００がスマートフォン２００に対してＢｌｕｅｔｏｏｔｈ（商標）通信で撮影画像を転送する時のシーケンスである。なお、近距離無線通信部１１２とスマートフォン２００はＢｌｕｅｔｏｏｔｈ（商標）でペアリング済みで、第一近距離無線通信で接続済みであるものとして説明する。加えて、実施形態におけるカメラ１００は、操作部１０５にて電源オフ操作がされた場合の動作として、外部装置への転送「する」／「しない」が設定可能であり、本実施形態では既に「する」が設定されているものとする。また、「する」と設定している状態で撮像部１０２により画像が生成された時、制御部１０１は生成された画像の転送ステータスを「未転送」とする。なお、各種設定情報は、全電源がＯＦＦになっても保持するために、不揮発明メモリ１０３に格納されるものとする。
【００３４】
まず、ユーザが操作部１０５を操作してカメラ１００の電源スイッチをオフにする操作を行うと、操作部１０５は電源オフ操作有りを示す信号を制御部１０１に通知する（Ｐ４０１）。なお、ここでの工程Ｐ４０１は、操作部１０５による電源スイッチオフ操作としたが、ユーザによる操作部１０５の操作無し状態が所定時間に達したことを電源オフの条件としても良い。
【００３５】
制御部１０１は、電源オフ操作有りの信号を受けて、撮像部１０２の終了処理（撮像部１０２への電力供給を停止処理）を行う（Ｐ４０２）。続けて制御部１０１は、表示部１０６に対して画面消灯の指示を行う（Ｐ４０３）。この結果、表示部１０６は画面を消灯する（Ｐ４０４）。
【００３６】
続けて制御部１０１は、第一近距離無線通信部１１２ａに対して画像転送開始指示を行う（Ｐ４０５）。この指示を受け、第一近距離無線通信部１１２ａはスマートフォン２００に対して画像転送開始要求を送信する（Ｐ４０６）。制御部１０１は省電状態へ移行するためにスリープを開始する（Ｐ４０７）。
【００３７】
スマートフォン２００（内のＣＰＵ）は、カメラ１００の第一近距離無線通信部１１２ａから画像転送開始要求を受信すると、第一近距離無線通信部１１２ａに対して第二近距離無線通信での接続要求を送信する（Ｐ４０８）。第一近距離無線通信部１１２ａは、制御部１０１に対して、第二近距離無線通信での接続要求があったことを通知する（Ｐ４０９）。
【００３８】
制御部１０１は、この要求の通知によりスリープ状態から復帰する（Ｐ４１０）。この時、制御部１０１は、撮像部１０２の起動処理は行わない。制御部１０１はスリープ状態から復帰したら表示部１０６に対して画像転送準備画面の表示指示を行う（Ｐ４１１）。この結果、表示部１０６にて図３（ａ）で説明した転送準備を表す画面が表示される（Ｐ４１２）。
【００３９】
制御部１０１は、続けて、第一近距離無線通信部１１２ａに対して通信切断開始を指示する（Ｐ４１３）。第一近距離無線通信部１１２ａは、この指示に従って、スマートフォン２００との間の第一近距離無線通信の切断処理を行う（Ｐ４１４）。切断後、第一近距離無線通信部１１２ａは、制御部１０１に切断が完了した旨を通知する（Ｐ４１５）。
【００４０】
制御部１０１は、続けて第二近距離無線通信部１１２ｂに対して通信開始を要求する（Ｐ４１６）。第二近距離無線通信部１１２ｂは、この要求に従い、スマートフォン２００と第二近距離無線での接続を確立する（Ｐ４１７）。
【００４１】
そして、第二近距離無線での接続確立後、スマートフォン２００は、第二近距離無線通信部１１２ｂに対して転送画像のリストを問い合わせる（Ｐ４１８）。
【００４２】
第二近距離無線通信部１１２ｂは、制御部１０１に対して転送画像リスト問い合わせを受信したことを通知する（Ｐ４１９）。これを受け、制御部１０１は表示部１０６に対して画像転送中画面の表示指示を行う（Ｐ４２０）。この結果、表示部１０６には図３（ｂ）で説明した転送中を表す画面が表示される（Ｐ４２１）。制御部１０１は続けて第二近距離無線通信部１１２ｂに対して転送画像リストの送信を指示する（Ｐ４２２）。なお、制御部１０１は転送画像リストとして転送ステータスが「未転送」の撮影画像を選択する。第二近距離無線通信部１１２ｂは、この指示を受け、スマートフォン２００へ転送画像リストを送信する（Ｐ４２３）。
【００４３】
スマートフォン２００は取得した転送画像リストに基づき、その中の１つの画像の取得要求を第二近距離無線通信部１１２ｂへ送信する（Ｐ４２４）。なお、この取得要求は、転送リスト内に記述されたファイルを特定する情報が含まれる。特定する情報は、典型的にはファイル名である。ただし、制御部１０１が、転送リストを作成する際に、ファイル名とＩＤとを対応づけて作成し、スマートフォン２００に送信しても良い。この場合、スマートフォンは、特定する情報としてＩＤを用いて、画像取得要求し、その際に受信した画像ファイルをＩＤに対応するファイル名で自身の記憶媒体内に格納すれば良い。
【００４４】
第二近距離無線通信部１１２ｂは、スマートフォン２００から受信した画像取得要求を、制御部１０１へ通知する（Ｐ４２５）。制御部１０１は、記録媒体１１０に格納されている、画像取得要求で指定された画像ファイルの転送ステータスを「転送中」に更新する（Ｐ４２６）。制御部１０１は続けて記録媒体１１０から、画像取得要求された画像ファイルを読み出す（Ｐ４２７）。続けて制御部１０１は、第二近距離無線通信部１１２ｂに、読み出した画像ファイルの送信を指示する（Ｐ４２８）。第二近距離無線通信部１１２ｂは、スマートフォン２００へ、指示された画像ファイルを送信する（Ｐ４２９）。画像ファイルの送信が完了すると、第二近距離無線通信部１１２ｂは、制御部１０１へ画像送信の完了を通知する（Ｐ４３０）。制御部１０１は、記録媒体１１０内に格納されている、送信済みの画像ファイルの転送ステータスを「転送済み」に更新する（Ｐ４３１）。
【００４５】
上記Ｐ４２４からＰ４３１までは、１枚の撮影画像ファイルのカメラ１００からスマートフォン２００への転送シーケンスである。この処理が、転送枚数分繰り返されることになる。この間、Ｐ４２６にて、転送ステータスが更新されることとなり、図３の（ｂ）の進捗バーも更新されていくことになる。
【００４６】
さて、スマートフォン２００は、転送リストにある全画像を取得すると、第二近距離無線通信部１１２ｂとの切断処理を開始する（Ｐ４３２）。第二近距離無線通信部１１２ｂは制御部１０１へ第二近距離無線の切断通知を行う（Ｐ４３３）。制御部１０１は第二近距離無線の切断通知を受けてカメラ１００のスリープ処理を開始する。まず、第一近距離無線通信部１１２ａに対して通信開始を通知する（Ｐ４３４）。制御部１０１は続けて表示部１０６に対して画面消灯指示を行い（Ｐ４３５）、表示部１０６は画面を消灯させる（Ｐ４３６）。最後に、制御部１０１はカメラ１００をスリープ状態に遷移させる（Ｐ４３７）。
【００４７】
以上が本実施形態における、カメラ１００がスマートフォン２００に対してＢｌｕｅｔｏｏｔｈ（商標）通信で撮影画像を転送する時のシーケンスである。
【００４８】
次に、本実施形態における、カメラ１００からスマートフォン２００に対してＢｌｕｅｔｏｏｔｈ（商標）通信により撮影画像の転送中に、ユーザから転送のキャンセル操作があった場合のシーケンスを、図５を参照して説明する。図５は、図４の工程Ｐ４２３以降のシーケンスであると理解されたい。すなわち、図４の工程Ｐ４０１〜Ｐ４２３までは既に実行されているものとする。
【００４９】
スマートフォン２００は、取得した転送画像リストに示された１つの画像の取得要求を第二近距離無線通信部１１２ｂへ送信する（Ｐ５０１）。第二近距離無線通信部１１２ｂは制御部１０１に画像取得要求を通知する（Ｐ５０２）。制御部１０１は、画像取得要求で指定された、記録媒体１１０に格納されている画像ファイルの転送ステータスを「転送中」に更新する（Ｐ５０３）。制御部１０１は、記録媒体１１０から、指定された画像ファイルを読み出す（Ｐ５０４）。そして、制御部１０１は、近距離無線通信部１１２ｂに対して、読み出した画像ファイルの送信を指示する（Ｐ５０５）。第二近距離無線通信部１１２ｂは、指示された画像ファイルを、スマートフォン２００へ送信する（Ｐ５０６）。
【００５０】
ここで、ユーザは、スマートフォン２００へ転送画像を送信している最中に、操作部１０５にから画像転送のキャンセル操作を行ったとする。このとき、操作部１０５から制御部１０１へは、画像転送のキャンセルがあった旨が通知される（Ｐ５０７）。
【００５１】
制御部１０１は、転送キャンセルの通知に応じて、表示部１０６を制御し、画像転送キャンセル画面表示を行わせる（Ｐ５０８）。この結果、表示部１０６は図３（ｃ）で説明した画像転送のキャンセル画面を表示する（Ｐ５０９）。続けてユーザが「はい」を選択すると、操作部１０５は画像転送のキャンセルを確定し、その旨を制御部１０１に通知する（Ｐ５１０）。制御部１０１は、これを受けて、表示部１０６に対して画面消灯の消灯指示を行い（Ｐ５１１）、表示部１０６はこの指示に応じて画面消灯を実行する（Ｐ５１２）。
【００５２】
この後、制御部１０１は、転送キャンセルによる後処理１を実行する。具体的には、制御部１０１は、転送処理がキャンセルされた画像ファイルの転送ステータスを「未転送」に更新する（Ｐ５１３）。これにより、画像転送の再開時に、未転送となった画像ファイルが優先的に転送リストに含まれるようになる。
【００５３】
次に、制御部１０１は、スマートフォン２００に対するキャンセルを通知する後処理２を行う。具体的には、制御部１０１は、まず、第二近距離無線通信部１１２ｂに画像転送キャンセル要求の送信を指示する（Ｐ５１４）。これを受けて、第二近距離無線通信部１１２ｂはスマートフォン２００に対して画像転送キャンセル要求を送信する（Ｐ５１５）。
【００５４】
スマートフォン２００は、画像転送キャンセル要求を受信すると、画像の取得処理を停止し、第二近距離無線通信部１１２ｂへ画像転送キャンセル通知を送信する（Ｐ５１６）。なお、スマートフォン２００はこの時、カメラから転送がキャンセルされた旨をスマートフォン２００に自身の表示装置に表示してもよい。第二近距離無線通信部１１２ｂは制御部１０１へ画像転送がキャンセルされた旨を通知する（Ｐ５１７）。以上でスマートフォン２００に対するキャンセル処理が完了する。
【００５５】
キャンセル処理が完了すると、制御部１０１は第二近距離無線通信部１１２ｂに対して切断開始を指示する（Ｐ５１８）。第二近距離無線通信部１１２ｂはスマートフォン２００との第二近距離無線切断処理を実施する（Ｐ５１９）。第二近距離無線通信部１１２ｂはスマートフォン２００との第二近距離無線通信切断処理が完了した旨を制御部１０１へ通知する（Ｐ５２０）。これによりスマートフォン２００との第二近距離無線通信が終了する。
【００５６】
制御部１０１は（Ｐ５２０）の第二近距離無線の切断通知を受けてカメラ１００のスリープ処理を開始する。まず、制御部１０１は第一近距離無線通信部１１２ａに対して通信開始を指示する（Ｐ５２１）。制御部１０１は最後にカメラ１００をスリープ状態に遷移させる（Ｐ５２２）。
【００５７】
以上が、本実施形態における、カメラ１００からスマートフォン２００へのＢｌｕｅｔｏｏｔｈ（商標）通信での撮影画像の転送中に転送キャンセル操作を行った場合のシーケンスである。
【００５８】
図５のようにカメラ１００にて転送の最中にキャンセル操作がされた場合、カメラ１００がスリープ状態に遷移する前に三つの後処理を行う。一つ目は工程Ｐ５１４で述べた転送が未完の画像ファイルの転送ステータスを「未転送」に更新することで、転送が中断された画像が次回の転送再開時のリストに含まれるようになる。二つ目は、工程Ｐ５１４からＰ５１７で述べた、スマートフォン２００への画像転送キャンセル通知である。これによりスマートフォン２００がキャンセルしたことが把握できる。そして、三つ目は、工程Ｐ５１８からＰ５２０で述べたスマートフォン２００との第二近距離無線通信の切断処理で、転送時の通信として使用している第二近距離無線通信の終了である。
【００５９】
次に、カメラ１００からスマートフォン２００へ、Ｂｌｕｅｔｏｏｔｈ（商標）通信による画像転送中にカメラ１００のレリーズスボタン１０５ａを押下した時のシーケンスを、図６を参照して説明する。ここで、図６は、図４の工程Ｐ４２３以降のシーケンスであると理解されたい。すなわち、図４の工程Ｐ４０１〜Ｐ４２３までは既に実行されているものとする。
【００６０】
スマートフォン２００は取得した転送画像リストに基づき、その中の１つの画像の取得要求を第二近距離無線通信部１１２ｂへ送信する（Ｐ６０１）。
【００６１】
第二近距離無線通信部１１２ｂは、制御部１０１へ画像取得要求を通知する（Ｐ６０２）。制御部１０１は、画像取得要求で指定された、記録媒体１１０に格納されている画像ファイルの転送ステータスを「転送中」に更新する（Ｐ６０３）。制御部１０１は、記録媒体１１０から、指定された画像ファイルを読み出す（Ｐ６０４）。そして、制御部１０１は、近距離無線通信部１１２ｂに対して、読み出した画像ファイルの送信を指示する（Ｐ６０５）。第二近距離無線通信部１１２ｂは、指示された画像ファイルを、スマートフォン２００へ送信する（Ｐ６０６）。
【００６２】
ここで、ユーザがカメラ１００のレリーズボタン１０５ａを押下したとする。この場合、操作部２０１０５から制御部１０１にレリーズボタン１０５ａが押下されたことを示す信号が供給される（Ｐ６０７）。これを受けて、制御部１０１は表示部１０６に対して画面の消灯指示を行う（Ｐ６０８）。なお、この時は速やかに撮影状態へ遷移したいので、図３（ｃ）のキャンセル画面は表示させない。表示部１０６は、この指示を受けて画面の消灯を実施する（Ｐ６０９）。
【００６３】
次に、制御部１０１は、第二近距離無線通信部１１２ｂに対して通信停止を指示する（Ｐ６１０）。第二近距離無線通信部１１２ｂは、これを受けて、通信を停止する（Ｐ６１１）。この時、第二近距離無線通信部１１２ｂは、スマートフォン２００に対して切断通知を行わない。
【００６４】
そして、制御部１０１は続けて撮像部１０２を起動させる（Ｐ６１２）。更に制御部１０１は、転送がキャンセルされた画像ファイルの転送ステータスを「未転送」に更新する（Ｐ６１３）。そして、制御部１０１は、第一近距離無線通信部１１２ａに対して通信開始を指示する（Ｐ６１４）。
【００６５】
以上が本実施形態における、カメラ１００がスマートフォン２００に対してＢｌｕｅｔｏｏｔｈ（商標）通信で撮影画像を転送している最中にカメラ１００のレリーズスボタンを押下した時のシーケンスである。
【００６６】
図６のようにカメラ１００にて転送の最中にレリーズスボタンが押下された場合、撮影状態へ速やかに移行したいので、図５で説明した三つの後処理は行わない。代わりにスマートフォン２００との第二近距離無線通信は強制的に停止させる。停止させるのはキャンセル通知や切断処理はスマートフォン２００からの応答を伴うためである。
【００６７】
図７は本実施形態における、カメラ１００の制御部１０１による、Ｂｌｕｅｔｏｏｔｈ（商標）通信での撮影画像の転送処理を示すフローチャートである。なお、カメラ１００は、スマートフォン２００と第一近距離無線通信部１１２ａを介して接続済みで、操作部１０５にて、既に電源オフ操作がされた時にスマートフォン２００への撮影画像転送を「する」「しない」が設定可能で、「する」と設定しているものとする。そして、制御部１０１は、撮像部１０２による撮像にて、記録媒体１１０に新たな画像ファイルが記録されたとき、その画像ファイルの転送ステータスを「未転送」とするものとする。更に説明を単純化するため、図４、図５、図６のシーケンスの共通工程であるＰ４０１〜Ｐ４２３までは省略する。
【００６８】
Ｓ７０１にて、制御部１０１は、第二近距離無線通信部１１２ｂを介してスマートフォン２００から画像取得要求を受信する。次いでＳ７０２にて、制御部１０１は記録媒体１１０内の、画像取得要求にて指定された画像ファイルの転送ステータスを「転送中」に更新する。次にＳ７０３にて、制御部１０１は、第二近距離無線通信部１１２ｂを介して、スマートフォン２００に、指定された画像ファイルの転送を行う。
【００６９】
Ｓ７０４にて、制御部１０１は、指定された画像ファイルの転送が完了したか否かを判定する。制御部１０１は、転送が完了した判定した場合は処理をＳ７０５に、未完であると判定した場合は処理をＳ７０９に進める。
【００７０】
Ｓ７０５にて、制御部１０１は、転送完了した画像ファイルの転送ステータスを「転送済み」に更新する（Ｓ７０５）。そして、Ｓ７０６にて、制御部１０１は、第二近距離無線通信部１１２ｂを介して、スマートフォン２００から切断要求を受信しているか否かを判定する。制御部１０１は、切断要求を受信していないと判定した場合には、処理をＳ７０１に戻し、次の画像の転送処理を行う。また、制御部１０１は、切断要求を受信したと判定した場合は処理をＳ７０７に進める。
【００７１】
Ｓ７０７にて、制御部１０１は、第二近距離無線通信部１１２ｂを介して、スマートフォン２００との第二近距離無線通信の切断処理を実行する。その後、Ｓ７０８にて、制御部１０１は第一近距離無線通信部１１２ａに対して通信開始を指示する。そして、Ｓ７２０にて、制御部１０１は、スリープ状態への遷移処理を行う。
【００７２】
Ｓ７０９にて、制御部１０１が、操作部１０５からの信号に基づき、ユーザが画像転送のキャンセル操作を行ったのか否かを判定する。制御部１０１は、ユーザが画像転送のキャンセル操作を行ったと判定した場合にはＳ７１０に、キャンセル操作を行っていないと判定した場合はＳ７１２に処理を進める。
【００７３】
Ｓ７１０にて、制御部１０１は、転送が未完の画像ファイルの転送ステータスを「未転送」に更新する。そして、Ｓ７１１にて、制御部１０１は、第二近距離無線通信部１１２ｂを介してスマートフォン２００へ画像転送キャンセル要求を送信する（Ｓ７１１）。その後、制御部１０１は、処理をＳ７０７に進める。
【００７４】
Ｓ７１２にて、制御部１０１は、操作部１０５からの信号に基づき、ユーザがレリーズボタン１０５ａを押下した否かを判定する。制御部１０１は、レリーズボタン１０５ａが押下されたと判定した場合はＳ７１３に、押下されていないと判定した場合はＳ７０４に処理を戻す。
【００７５】
Ｓ７１３にて、制御部１０１は、第二近距離無線通信部１１２ｂに対して通信停止を指示し、Ｓ７１４にて撮像部１０２を起動させる。なお、Ｓ７１３，Ｓ７１４の順序は逆でも構わない。次のＳ７１５にて、制御部１０１は、転送中だった画像ファイルが未完となるので、その画像ファイルの転送ステータスを「未転送」に更新する。そして、Ｓ７１６にて、制御部１０１は第一近距離通信部１１２ａに対して通信開始を指示する。そして、Ｓ７２１にて、制御部１０１は、撮像準備状態への遷移処理を行い、本処理を終える。
【００７６】
以上が本実施形態における、カメラ１００がスマートフォン２００に対してＢｌｕｅｔｏｏｔｈ（商標）通信で撮影画像を転送する時のフローチャートである。
【００７７】
なお、本実施形態では、操作部１０５にてカメラ１００のレリーズスイッチを押下した場合で説明しているが、カメラ１００の電池収納部の蓋を開けた場合に置き換えても同様の効果が得られる。その場合、Ｐ６０７が操作部１０５から制御部１０１への通知はレリーズボタン押下ではなく、電池収納部の蓋が開けられたことに置き換わる。そして、Ｐ６１２、Ｐ６１３、Ｐ６１４は実施せず、その代わりに制御部１０１がカメラ１００のスリープを開始する処理に置き換わる。
【００７８】
以上で説明したように本実施形態によれば、撮影や電池収納部の蓋開けといった操作が行われた時のカメラ電源オフ操作を契機に、外部機器へ撮影画像を転送した後の処理を行わず、撮影状態やシャットダウン状態への遷移時間が延びることを回避することが出来る。
【００７９】
なお、転送をキャンセルする要因としてのレリーズボタンの押下や、電池収納部の蓋の開く動作などの複数の要因と、各要因の転送キャンセル後の後処理を行うか否かを示す情報との対応関係を示すテーブルを不揮発性メモリに保持するようにしても良い。何らかの事象が発生した場合、制御部１０１は、その事象とテーブルの内容とを比較し、一致した要因に従って後処理を行うか否かを判定し、その判定結果に従った処理を実行するようにしても良い。
【００８０】
［第２の実施形態］
以下、第２の実施形態について説明する。カメラ１００の構成は図１と同様であるが、操作部１０５でカメラ１００の電源のオン／オフはレバースイッチとする。本第２の実施形態の形態は図２と同様で、カメラ１００とスマートフォン２００が第一の近距離無線と第二の近距離無線で通信を行う場合の概略図を表す。ここでの第一の近距離無線通信はＢｌｕｅｔｏｏｔｈ（商標）Ｌｏｗ  Ｅｎｅｒｇｙ、第二の近距離無線通信はＢｌｕｅｔｏｏｔｈ（商標）Ｃｌａｓｓｉｃを想定している。
【００８１】
なお、近距離無線通信部１１２とスマートフォン２００がＢｌｕｅｔｏｏｔｈ（商標）でペアリング済みで、第一の近距離無線通信で接続済みであるものとする。加えて、操作部１０５にて電源オフ操作がされた時にスマートフォン２００への撮影画像転送を「する」「しない」が設定可能で、本実施形態では「する」が設定されているものとする。「する」と設定している状態で、撮像部１０２により画像が生成された時、制御部１０１は生成された画像の転送ステータスを「未転送」とする。更に、Ｐ４０１におけるカメラ１００の電源オフ処理は、操作部１０５による操作が一定時間発生しなかったことによるものとする。
【００８２】
図８は本実施形態における、カメラ１００からスマートフォン２００へＢｌｕｅｔｏｏｔｈ（商標）通信で撮影画像の転送中に、ユーザがカメラ１００の電源レバースイッチをオフした時のシーケンスを示している。なお、図１の工程Ｐ４０１〜Ｐ４２３が既に行われており、図８はＰ４２３以降のシーケンスであると理解されたい。
【００８３】
スマートフォン２００は、カメラ１００から取得した転送画像リストに基づき、その中の１つの画像の取得要求を第二近距離無線通信部１１２ｂへ送信する（Ｐ８０１）。
【００８４】
第二近距離無線通信部１１２ｂは、制御部１０１へ画像取得要求を通知する（Ｐ８０２）。制御部１０１は、これを受けて、記録媒体１１０に格納されている、画像取得要求で指定された画像ファイルの転送ステータスを「転送中」に更新する（Ｐ８０３）。制御部１０１は続けて記録媒体１１０から、画像取得要求された画像ファイルを読み出す（Ｐ８０４）。そして、制御部１０１は、第二近距離無線通信部１１２ｂに、読み出した画像ファイルの送信を指示する（Ｐ８０５）。第二近距離無線通信部１１２ｂは、スマートフォン２００へ、指示された画像ファイルを送信する（Ｐ８０６）。
【００８５】
ここでスマートフォン２００へ転送画像を送信している最中に、ユーザが操作部１０５にて電源レバースイッチをオフしたとする。この場合、操作部１０５は、制御部１０１へ電源オフ操作があったことを示す信号を通知する（Ｐ８０７）。
【００８６】
制御部１０１は、これを受けて、カメラ１００のスリープ処理を開始する。具体的には、制御部１０１は表示部１０６に対して画面消灯の消灯指示を行い（Ｐ８０８）、表示部１０６は画面消灯を実行する（Ｐ８０９）。続けて制御部１０１は、第二近距離無線通信部１１２ｂに画像転送キャンセル要求の送信を指示する（Ｐ８１０）。第二近距離無線通信部１１２ｂは、この指示に従い、スマートフォン２００に対して画像転送キャンセル要求を送信する（Ｐ８１１）。この時、制御部１０１は、第二近距離無線通信部１１２ｂから画像転送がキャンセルされた旨を待つことなく、第二近距離無線通信部１１２ｂに対して通信停止を指示する（Ｐ８１２）。そして、制御部１０１は続けて第一近距離無線通信部１１２ａに対して通信開始を指示する（Ｐ８１３）。最後に制御部１０１は、カメラ１００をスリープ状態へ遷移させる（Ｐ８１４）。
【００８７】
以上が本第２の実施形態における、カメラ１００がスマートフォン２００に対してＢｌｕｅｔｏｏｔｈ（商標）通信で撮影画像を転送している最中に電源レバースイッチをオフした時のシーケンスである。
【００８８】
本第２の実施形態では、図６のように操作部１０５にてレリーズスボタンが押下されたことで速やかに撮影状態に遷移する必要はなく、スリープ状態に遷移する。
【００８９】
以上で説明したように、本実施形態によれば電源レバースイッチでオフ操作が行われた時、カメラ電源オフ操作がされたのを契機に外部機器に撮影画像を転送した後の処理は一部だけ行う。具体的にはスマートフォン２００へ画像転送をキャンセルする旨だけ通知して、スマートフォン２００からの応答を待たずに第二近距離無線通信１１２ｂを停止する。これにより、撮影可能状態やシャットダウン状態へ遷移するのに時間が延びてしまうことを回避することが可能となる。
【００９０】
なお、上記実施形態では、カメラ１００が通信する外部機器をスマートフォン２００とする例を説明したが、外部危機の種類は特に問わない。外部危機としては、撮像した画像ファイルを保管するためのストレージ機器（例えばNetwork Attached Storage:ＮＡＳ）でも良いし、撮像画像を印刷する印刷装置であっても構わない。
【００９１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００９２】
発明は上記実施形態に制限されるものではなく、発明の精神及び範囲から離脱することなく、様々な変更及び変形が可能である。従って、発明の範囲を公にするために請求項を添付する。
【符号の説明】
【００９３】
１００…カメラ、１０１…制御部、１０２…撮像部、１０３…不揮発性メモリ、１０４…作業用メモリ、１０５…操作部、１０６…表示部、１１１…無線通信部、１１２…近距離無線通信部
【図１】
2020167595.tif 000003
【図２】
2020167595.tif 000004
【図３】
2020167595.tif 000005
【図４】
2020167595.tif 000006
【図５】
2020167595.tif 000007
【図６】
2020167595.tif 000008
【図７】
2020167595.tif 000009
【図８】
2020167595.tif 000010